(57)【要約】      （修正有）【課題】災害時（停電時）の仮設トイレ群へ停電時も安定して給水が可能な仮設トイレ用給水システムを提供する。【解決手段】非常電源駆動ポンプ５と、手押しポンプ６と、水源１からの水を両ポンプ５，６に吸上げる吸込み管２と、吸込み管２に接続され、途中に仕切弁又は三方弁が取り付けられ、一方を非常電源駆動ポンプ５へ他方を手押しポンプ６へ連結された吸込み分岐管３と、両ポンプ５，６の吐出し口５ｂ、６ｂを合流する三方弁８を取り付けた合流管７と、合流管７に接続され仮設トイレ１８の給水口に送水する送水配管９とで構成し、通常時は非常電源駆動ポンプを運転して給水し、非常電源駆動ポンプが運転不能となった場合は、仕切弁を開放し、又は三方弁を水源の水を手押しポンプに吸込まれる側に切り替え、合流管に取り付けた三方弁を手押しポンプから仮設トイレの給水口側へ切り替えて、手押しポンプによりバックアップ運転して給水するようにした。【選択図】図１
2015025349.tif 000002
【特許請求の範囲】
【請求項１】
ポンプより下位にある水源からの水を吸い込み仮設トイレの給水口に送水する呼び水手段を備えた非常電源駆動ポンプと、前記水源からの水を吸込み仮設トイレの給水口に送水する手押しポンプと、前記水源からの水を前記ポンプ共通に吸上げる先端にフート弁を取り付けた吸込み管と、入口を該吸込み管に接続し途中に三方弁又は仕切弁を取り付け、一方を前記非常電源駆動ポンプ吸い込み口へ他方を前記手押しポンプ吸い込み口へ連結する分岐管と、前記両ポンプの吐出し口を合流する三方弁を取り付けた合流管と、前記三方弁の仮設トイレ側と接続する仮設トイレに送水する送水配管とで構成した仮設トイレ用給水システムにおいて、通常時は前記吸込み分岐管に取り付けた三方弁を水源の水が前記非常電源駆動ポンプへ吸込まれる側に切り替え、又は仕切弁を閉鎖し、前記合流管に取り付けた三方弁を前記非常電源駆動ポンプから仮設トイレの給水口側へ切り替えて、前記非常電源駆動ポンプを運転して給水し、該非常電源駆動ポンプが運転不能となった場合は、前記吸込み分岐管に取り付けた三方弁を水源の水が前記手押しポンプへ吸込まれる側に切り替え、又は前記仕切弁を開放し、前記合流管に取り付けた三方弁を前記手押しポンプから仮設トイレの給水口側へ切り替えて、手押しポンプによりバックアップ運転して給水するようにしたことを特徴とする停電時も安定して給水が可能な仮設トイレ用給水システム。
【請求項２】
ポンプより下位にある水源からの水を吸い込み仮設トイレの給水口に送水する呼び水手段を備えた非常電源駆動ポンプと、前記水源からの水を吸込み仮設トイレの給水口に送水する手押しポンプと、前記水源からの水を前記ポンプ共通に吸上げる先端にフート弁を取り付けた吸込み管と、入口を該吸込み管に接続し途中に三方弁又は仕切弁を取り付け、一方を前記非常電源駆動ポンプ吸い込み口へ他方を前記手押しポンプ吸い込み口へ連結する吸込み分岐管と、前記両ポンプの吐出し口を合流する三方弁を取り付けた合流管と、前記三方弁の仮設トイレ側と接続する仮設トイレに送水する送水配管とで構成した仮設トイレ用給水システムにおいて、通常時は前記吸込み分岐管に取り付けた三方弁を水源の水が前記非常電源駆動ポンプへ吸込まれる側に切り替え、又は仕切弁を閉鎖し、前記合流管に取り付けた三方弁を前記非常電源駆動ポンプから仮設トイレの給水口側へ切り替えて、前記非常電源駆動ポンプを運転して給水し、該非常電源駆動ポンプが使用不能となった期間は、吸込み分岐管に取り付けた三方弁を水源の水が前記手押しポンプへ吸込まれる側に切り替え、又は仕切弁を開放し、前記合流管に取り付けた三方弁を前記手押しポンプから仮設トイレの給水口側へ切り替えて、手押しポンプによりバックアップ運転を行い給水するようにしたことを特徴とする停電時も安定して給水が可能な仮設トイレ用給水システム。
【請求項３】
特許請求項１、２において、前記非常電源駆動ポンプの駆動源をエンジンとしエンジン駆動ポンプとし、これがダウンした時に手押しポンプでバックアップするようにしたことを特徴とする停電時も安定して給水が可能な仮設トイレ用給水システム。
【請求項４】
特許請求項１〜３において、仕切弁と三方弁を自動弁に変更し、第１〜第３の特許請求項で操作した手順を自動化し、誤操作による非常電源駆動ポンプダウン時の手押しポンプによるバックアップ運転不能、吸込み管及び吸込み分岐管の呼び水及び満水不能の問題を解消するようにしたことを特徴とする停電時も安定して給水が可能な仮設トイレ用給水システム。
【請求項５】
特許請求項１〜４において、前記手押しポンプによる呼び水、満水運転と前記ポンプによる運転とを１サイクルとし、これを数回リトライすることにより前記ポンプの揚水不能状態を検出し、前記手押しポンプによる運転にバックアップするようにしたことを特徴とする停電時も安定して給水が可能な仮設トイレ用給水システム。
【請求項６】
特許請求項１〜５において、前記仕切弁と三方弁及びポンプの操作手順を注意銘板に記載し、装置に貼り付けガイダンス機能を付加したことを特徴とする停電時も安定して給水が可能な仮設トイレ用給水システム。
【発明の詳細な説明】
【技術分野】
【０００１】  本発明は、災害時の非常電源駆動ポンプをバックアップする仮設トイレ用給水ポンプシステムに関する。
【背景技術】
【０００２】  東北関東大震災以降、災害時の生活用水を確保しようとする機運がより一層高まっている。特に、停電時の仮設トイレへの給水と、その対応が大きな課題となっている。これの公知例として、文献１、文献２がある。【０００３】  文献１のマンホール設置式可搬手押しポンプは、防災用水としての貯水槽マンホール上に可搬手押しポンプを設置し、前記マンホールにホース（吸込み管）を通す穴を開け、水源の水を、前記ホースを介して前記手押しポンプにより吸い上げて災害時に無電力で給水するための手押しポンプ、マンホール、可搬手段である二輪車の構造、形状が開示されている。【０００４】  また文献２の仮設トイレは、便器と、この便器に流す洗浄水を蓄える貯水タンクとが一体となり、人力ポンプと電動ポンプを併設し、貯水タンクの洗浄水を前記併設したポンプにより便器に送水して洗浄することが開示されている。加えて、人力ポンプの起動用のぺダルが踏まれた場合、これと連動して電動ポンプも運転し、更に、電動ポンプの起動スイッチがあり、これの操作により運転ができ併用されることが開示されている。尚、災害時は、集団で避難するため仮設トイレが複数台併設して設置されている。【０００５】
【先行技術文献】
【特許文献】
【０００６】
【特許文献２】特開２００９−１５５８７１公報  仮設トイレ
【実用新案文献１】
実願２０１２−３７８１公報  マンホール設置式可搬手押しポンプ
【発明の概要】
【発明が解決しようとする課題】
【０００７】  しかしながら、文献１のマンホール設置式可搬手押しポンプおいては、電動ポンプと併設して使用することが開示されていない。文献２の仮設トイレにおいては、併設された人力ポンプと電動ポンプについて併用して運転する記載はあるが、電動ポンプがダウンした際に人力ポンプでバックアップすることが開示されておらず、その重要性が認識されていない。前記併設ポンプは、便器を洗浄するためのものであり仮設トイレが、人力ポンプと電動ポンプが故障して使用できなくなっても、隣の仮設トイレが使用できるので優先して電動ポンプを使用し、これが故障した時人力ポンプを使用するというシステムの必要性がないためである。
そこで、本発明の目的は、災害時（停電時）の仮設トイレ群へ停電時も安定して給水が可能なポンプは非常電源駆動ポンプとし、この非常電源ポンプがダウンした時のバックアップポンプとして人力で操作の可能な手押しポンプとで構成した仮設トイレ用給水システムを提供することにある。
ところで、本発明の仮設トイレ群用給水システムは災害用が主用途であるため、非常電源駆動ポンプの運転を優先して長時間運転するようにし、バックアップ用である手押しポンプは初めの非常電源駆動ポンプの呼び水、吸込み管の空気除去及び満水を行う場合に運転を制限して使用時間を減らし（耐用使用期間を向上させる）非常電源駆動ポンプダウン時のバックアップに備えている。
更に、本発明の仮設トイレ群用給水システムは災害用が主用途であるため、万能形が求められる。本システムに使用するポンプは、汎用性が高く一般に広く用いられている遠心ポンプを用いる。特に、遠心ポンプを用いると吸込み運転において次に示す問題があり、これを解消する必要がある。
１）ポンプと吸込み管の空気を水と置換し呼び水を行う。複雑な吸込み管はこれが困難。
２）更に、従来は、上記１）の問題を解消するのが困難なため複数ポンプの吸込み側を合    流させることを回避していた。
【課題を解決するための手段】
【０００８】  上記目的を達成するために本発明の一実施形態は、ポンプより下位にある水源からの水を吸い込み仮設トイレの給水口に送水する呼び水手段を備えた非常電源駆動ポンプと、前記水源からの水を吸込み仮設トイレの給水口に送水する手押しポンプと、前記水源からの水を前記ポンプ共通に吸上げる先端にフート弁を取り付けた吸込み管と、入口を該吸込み管に接続し途中に仕切弁又は三方弁を取り付け、一方を前記非常電源駆動ポンプ吸い込み口へ他方を前記手押しポンプ吸い込み口へ連結する吸込み分岐管と、前記両ポンプの吐出し口を合流する三方弁を取り付けた合流管と、前記三方弁の仮設トイレ側と接続する仮設トイレに送水する送水配管とで構成した仮設トイレ用給水システムにおいて、通常時は前記吸込み管に取り付けた仕切弁を閉鎖し、又は三方弁を水源の水が前記非常電源駆動ポンプへ吸込まれる側に切り替え、前記合流管に取り付けた三方弁を前記非常電源駆動ポンプから仮設トイレの給水口側へ切り替えて、前記非常電源駆動ポンプを運転して給水し、該非常電源駆動ポンプが運転不能となった場合は、前記吸込み分岐管に取り付けた仕切弁を開放し、又は前記三方弁を水源の水を前記手押しポンプに吸込まれる側に切り替え、前記合流管に取り付けた三方弁を前記手押しポンプから仮設トイレの給水口側へ切り替えて、手押しポンプによりバックアップ運転して給水するようにした停電時も安定して給水が可能な仮設トイレ群用給水システムである。
尚、非常電源駆動ポンプには遠心ポンプを用いたものである。【０００９】  別の実施形態は以下の通りである。
（２）第２の実施形態は、ポンプより下位にある水源からの水を吸い込み仮設トイレの給水口に送水する呼び水手段を備えた非常電源駆動ポンプと、前記水源からの水を吸込み仮設トイレの給水口に送水する手押しポンプと、前記水源からの水を前記ポンプ共通に吸上げる先端にフート弁を取り付けた吸込み管と、入口を該吸込み管に接続し途中に仕切弁又は三方弁を取り付け、−方を前記非常電源駆動ポンプ吸い込み口へ他方を前記手押しポンプ吸い込み口へ連結する吸込み分岐管と、前記両ポンプの吐出し口を合流する三方弁を取り付けた合流管と、前記三方弁の仮設トイレ側と接続する仮設トイレに送水する送水配管とで構成した仮設トイレ用給水システムにおいて、通常時は前記吸込み分岐管に取り付けた仕切弁を閉鎖し、又は三方弁を水源の水が前記非常電源駆動ポンプへ吸込まれる側に切り替え、前記合流管に取り付けた三方弁を前記非常電源駆動ポンプから仮設トイレの給水口側へ切り替えて、前記非常電源駆動ポンプを運転して給水し、該非常電源駆動ポンプが使用できない期間は、前記吸込み分岐管に取り付けた仕切并を開放し、又は三方弁を水源の水が前記手押しポンプへ吸込まれる側に切り替え、前記合流管に取り付けた三方弁を前記手押しポンプから仮設トイレの給水口側へ切り替えて、手押しポンプによりバックアップ運転して給水するようにした停電時も安定して給水が可能な仮設トイレ用給水システムである。
（３）第３の実施形態は、第１、第２の実施態様において、前記非常電源駆動ポンプの駆動源をエンジンとしてエンジン駆動ポンプとし、これがダウンした時手押しポンプによりバックアップするようにした停電時も安定して給水が可能な仮設トイレ用給水システムである。
（４）第４の実施形態は、第１〜第３の実施形態において、仕切弁と三方弁を自動弁に変更し、第１〜第３の実施形態で操作した手順を自動化し、誤操作による非常電源駆動ポンプダウン時の手押しポンプによるバックアップ運転不能、吸込み管及び吸込み分岐管の呼び水及び満水不能の問題を解消するようにした停電時も安定して給水が可能な仮設トイレ用給水システムである。
（５）第５の実施形態は、第１〜第４の実施形態において、前記手押しポンプによる呼び水、満水運転と前記ポンプによる運転とを１サイクルとし、これを数回リトライすることにより前記ポンプの揚水不能状態を検出し、前記手押しポンプによる運転にバックアップするようにした停電時も安定して給水が可能な仮設トイレ用給水システムである。
（６）第６の実施形態は、第１〜４の実施形態において、前記仕切弁と三方弁及びポンプの操作手順を注意銘板に記載し、装置に貼り付けガイダンス機能を付加した停電時も安定して給水が可能な仮設トイレ用給水システムである。
【発明の効果】
【００１０】  本発明によれば、災害時において非常電源駆動ポンプを優先して運転し、手押しポンプは前記非常電源駆動ポンプの呼び水、吸込み管の空気除去及び満水時の運転に制限して寿命の長時間化を図り、前記非常電源駆動ポンプダウン時の手押しポンプによるバックアップ運転を確実に行い、水源からの揚水方法が、吸込み運転であっても、初期時に手押しポンプを最初に運転することにより、吸込み管、吸込み分岐管及び非常電源駆動ポンプ内の空気を除去し確実に満水状態とし、［段落０００７］で述べた吸込み運転の問題を解消することができる。
【図面の簡単な説明】
【００１１】
【図１】本発明第１〜第６の実施形態の災害用仮設トイレの送水に適用した仮設トイレ用給水システムの系統図。
【図２】本発明各実施形態手押しポンプの原理を説明する概念図
【図３】本発明第４の実施形態の制御盤の回路図。
【図４】本発明第６の実施形態の操作取扱いガイダンスを表示した看板図。
【発明を実施するための形態】
【００１２】  以下、本発明の実施形態について図１〜図４により説明する。
先ず第１の実施形態について説明する。図１は第１〜第６の実施態様に共通の災害用仮設トイレ群の送水に適用した仮設トイレ用給水システムの系統図を示している。１は水源であり例えば避難先が学校であればプール、公園等であれば防火．防災用水槽等である。そして、この水源は設置されるポンプよりは下位にあることが多い。この場合、ポンプと水源との距離は高さで５〜６ｍ以内とするのが望ましい。２は先端にフート弁１９を取り付けた吸い込み管、３は入口を前記吸い込み管と連結し、出口側の一方を非常電源駆動ポンプ（以下ポンプと略して呼ぶ）５の吸込み口５ａに接続し、他方を手押しポンプ６の吸込み口６ａと接続する途中に三方弁４、又は仕切弁４−１（図示は三方弁で示しているが、仕切弁４−１でも良い）を取り付けた吸込み分岐管、７は一方を前記ポンプ５の吐出し口５ｂと接続し、他方を前記手押しポンプ６の吐出し口６ｂと接続する途中に三方弁８を取り付けた合流管、９は前記三方弁の一方と接続し仮設トイレ群１８と連結した横引き配管１３の一方の接続口１３ａと接続する送水管、１４、１５はそれぞれ前記横引き配管１３に接続する貯留槽及び仕切弁、１６は前記横引き配管１３（接続口１３ｂ）と接続し下水管１７と接続して滞留した仮設用トイレ群使用後の汚水及び汚物を給水と一緒に送水するする送水管、２０は前記ポンプのモータ２２に電力Ｓ２０を供給する非常電源装置であり、一般に石油系を燃料とする発電機を用いる。尚、前述の三方弁４又は仕切弁４−１はポンプへの空気噛み込み防止を考慮すると極力手押しポンプ側に取り付けるのが望ましい。このように構成した仮設トイレ用給水システムの要点について説明する。
前述したポンプ５は、遠心ポンプを採用する。その理由は、自吸式ポンプもあるが吸込み側が分岐し且つ、三方弁又は仕切弁が取り付けられており完全な自吸に不安があり、これの対処が難しく、後で述べる手押しポンプの採用とこれによる吸込み管、分岐管、ポンプ内の呼び水、空気除去、満水が十分にできることが明らかなためでる。そして、ポンプ５には呼び水手段１０が備わっている。この呼び水手段１０は呼び水じょうご又はタンク１２（手押しポンプ運転時に空気を吸い込まない程度の容量であれば良い。）と仕切弁１１から成る。
手押しポンプ６は、本システムにおいて、非常電源ダウン時のポンプバックアップとして不可欠であるばかりでなく前述した吸込み管、分岐管、ポンプ内の呼び水、空気除去、満水機能を果たす重要な機器となっている。よって、前述したように優先してポンプを運転し手押しポンプは前記ポンプの呼び水、吸込み管の空気除去及び満水時の運転に制限して寿命の長時間化を図り、前記ポンプダウン時のバックアップ運転に備えられるようにする。
【００１３】  これの原理を図２の手押しポンプ概念図により説明する。図２において、図１と同じ記号の機器または部品は同じものであるから説明を省く。４０はシリンダー、４５は連通穴４５ａを有するピストン、４６はピストンを上下に動かすためのハンドル、４７はピストンとハンドルを連結する連結棒、Ａは下部弁、Ｂは上部弁である。
作動は図２の右側に示す４工程で実行される。先ず、水源１には大気圧１０（水柱）がかかっているから、シリンダー内を負圧にすれば理論上水源の水を１０ｍ吸上げることが出来るが、途中の損失を考慮すると６ｍ程度の吸上げとなる。第１の工程において、ピストンは最上位にて静止している。水位はピストン底面にあり、弁Ａ、Ｂは共に閉じており、手押しポンプ吐出口から水は未だ吐出されない。ハンドルを途中まで引き上げ静止させたピストンがシリンダーの途中にある状態が第２の工程である。水位は水が吐出される直前の位置にあり弁Ａは閉じ、弁Ｂは開いている。ハンドルを最上位まで引き上げ静止させたピストンがシリンダーの最下位にある状態が第３の工程である。水位は未だ水が吐出される直前の位置にあり、弁Ａ、Ｂは閉じている。ハンドルを押し下げるとピストンの下部、シリンダー内が負圧となり水源の水を吸い上げ、ピストンの上部、シリンダー内の水が吐出口より吐き出される。こうしてハンドルを途中まで押し下げて静止させたピストンがシリンダーの途中にある状態が第４の工程である。弁Ａは、開き弁Ｂは閉じている。勿論、ハンドルを最下位まで押し下げ静止するまで前記状態は継続する。即ち、水源の水はピストン底部、最上位まで吸い上げられている。（第１工程の状態）以下、第１〜第４工程を、繰り返し揚水をしていくこととなる。
【００１４】  さて、次に吸込み管、吸込み分岐管、ポンプ内の呼び水、空気除去、満水機能の作用について詳細に説明する。使用初期は、前記吐出側合流管に取り付けた三方弁８を、ａ側を遮断、ｂ−ｃ側を開放する。即ち、手押しポンプ吐出し口から仮設トイレ側に送水する方向に切替えると共に、前記吸込み分岐管に取り付けた三方弁（仕切弁の場合は開放）を全方向に開放し、水源の水が前記手押しポンプへ吸込まれ、且つポンプ及びポンプ側分岐管の呼び水及び満水が出来るようにする。そして、最初に手押しポンプを運転して吸込み管、吸込み分岐管（手押しポンプの運転で通水される部位）及び手押しポンプへ水源の水を吸上げ、空気と吸上げた水と一緒に仮設トイレ側に排出して満水状態とする。この状態を維持しながら、前記ポンプの呼び水手段１０の仕切弁１１を開放し、呼び水じょうご又はタンク１２に注水している水から呼び水を行い、ポンプ内及び該吸込み分岐管（ポンプ側の手押しポンプの運転で吸引されて通水される部位）の空気を揚水と一緒に仮設トイレ側へ送水し満水状態にする。これが完了したところで前記ポンプの呼び水手段の仕切弁１１を閉じ、手押しポンプを停止する。この時に、呼び水じょうご又はタンク１２の水がなくなり外気を吸い込まれないように前記仕切弁１１を閉じる。続いて、前記吸込み分岐管の三方弁（仕切弁４の場合は閉じる）を、水源の水が前記ポンプへ吸込まれる側に切り替えて、吐出合流管の三方弁を、ｂ側遮断し、ａ−ｃ側を開放する。即ち、手押しポンプから仮設トイレ側への送水を遮断し、ポンプから仮設トイレ側へ送水されるよう前記三方弁を切替える。この後、前記非常電源装置１０を作動させてポンプを優先して運転する。
そして、前記ポンプがダウンした場合は、仕切弁、三方弁の操作を最初の状態に切り替え、手押しポンプによるバックアップ運転を行うものである。
又、以上の一連の動作で吸込み管、吸込み分岐管及びポンプ内の空気を除去し満水状態にして前記ポンプが確実に揚水されるように手順化したものである。
【第１の実施形態の効果】
【００１５】  このようにすると、災害時において非常電源駆動ポンプを優先して運転し、手押しポンプは前記非常電源駆動ポンプの呼び水、吸込み管の空気除去及び満水時の運転に制限して寿命の長時間化を図り、前記非常電源駆動ポンプダウン時のバックアップ運転を確実に行うことができ給水に対する信頼度を著しく向上させることができる。加えて、吸込み管、分岐管、ポンプ内の空気が確実に除去され満水状態となりポンプからの送水が確実に仮設トイレ側に送水され、［段落０００７］で述べた従来の吸込み運転に関連する問題を解消することができる。
【００１６】  次に、第２の実施形態について説明する。これは、第１の実施形態において用いた非常電源である発電機を、燃料としてカセットボンベーを使用する発電機に代えて、且つ、システムの適切な部位に図示していないが温度計を備えたものでる。（図１参照）
即ち、発電機の燃料は、一般的には石油系が多く用いられているが、消防法により最大４０Ｌまでしか備蓄が許されていない。燃料としてカセットボンベーを使用することを顧客から指定されることがある。カセットボンベーの使用条件は周囲温度５〜１０℃以上であり、これ以下では使用できない問題がある。周囲温度が５〜１０℃以下となる期間は手押しポンプでバックアップする必要がある。そこで、温度計の計測した外気温が前記周囲温度５〜１０℃以下となった場合は、直ちにポンプを停止して手押しポンプを運転してバックアップを行う。そして、前記温度計の計測した外気温が前記周囲温度５〜１０℃を越えて復帰した場合は、発電機駆動のポンプによる運転に切り替える。仕切弁、三方弁の切り替え、及びポンプと手押しポンプの切り替えは第１の実施態様と同じであるので説明は省く。
【第２の実施形態の効果】
【００１７】  このようにすれば、使用に制限（故障していなくても特定の期間は使用できない）のある非常電源である発電機の使用を指定されても、手押しポンプによるバックアップ運転で確実に給水することができる。
【００１８】  次に、第３の実施形態について説明する。これは、第１の実施形態において用いた非常電源駆動ポンプの駆動源をエンジンとしたものである。即ち、図１において、ポンプ５の駆動源である発電機を、図示していないがエンジンに代えたものである。手押しポンプへのバックアップの作動及び弁類の切り替え、及びポンプと手押しポンプの切り替えは第１の実施形態と同じであるので説明は省く。
【第３の実施形態の効果】
【００１９】  このようにすると、ポンプの駆動源がエンジンまで拡大し利便性が向上する他、エンジン駆動ポンプダウン時の手押しポンプへのバックアップは第１の実施態様と同じ効果が得られる。尚、エンジンの燃料も一般には石油系が用いられることが多い。この場合も、消防法による規制により、燃料としてカセットボンベーを使用することを顧客から指定されることが考えられるが、第２の実施形態と同様に対応することができる。
【００２０】  次に、第４の実施形態について説明する。これは、第１〜第３の実施形態において、仕切弁と三方弁を自動弁に変更し、第１〜第３の実施形態で操作する手順を自動化し、誤操作による非常電源駆動ポンプダウン時の手押しポンプによるバックアップ運転不能、吸込み管及び吸込み分岐管の呼び水及び満水不能の問題を解消するようにしたものである。
これを図３により更に詳細に説明する。ＥＧは非常電源装置である可搬式の発電機（例えば交流電力を発生する。）、ＢＳＳは起動押釦スイッチ、ＢＳＴは停止押釦スイッチ、４３は４３ａ（手押しポンプ運転モード／呼び水満水運転モード）と４３ｂ（非常電源駆動ポンプ運転モード）を切り替えるスイッチ、ＳＶＸはその接点ＳＶＸａで前記起動押釦スイッチＢＳＳを自己保持するリレー、ＳＶは前述した吸込み分岐管に取り付けられた三方弁４を説明の便宜上、仕切弁４−１に代え自動弁とした場合で示したものである。同じくＤＶは前述した吐出合流管に取り付けられた三方弁を自動弁としたものであり、ＤＶｂが励磁されるとｃ−ｂ側が開放され、ＤＶａが励磁されるとｃ−ａ側が開放されるものである。Ｔは計時終了（一定時間）後にその接点Ｔａを閉じるタイマ、２２は前述したポンプのモータである。本実施例の場合、モータ２２は始動装置を内蔵しているものを用いているが、２２を電磁開閉器とし、これの主回路接点を介して前記モータを駆動しても良い。３０ｂはポンプ駆動モータ故障時に開放する接点、同じく３０ａはポンプ駆動モータ故障時に閉じる接点、３１ｂは発電機故障時に開放する接点、同じく３１ａは発電機故障時に閉じる接点、ＢＺは警報発報手段であり、例えばブザーである。
【００２１】  このように構成した回路において、先ず、起動押釦スイッチＢＳＳを押して、切替えスイッチ４３を前記４３ａ（手押しポンプ運転モード／呼び水満水運転モード）に切替える。これにより、自動弁ＳＶ（４−１）が開放し、自動弁ＤＶのｂ−ｃ側が開放する。そして、手押しポンプを運転し前述で明らかなので説明は省くが、呼び水及び満水を行う。呼び水満水が終了したら（人為的な判断）前記切替えスイッチ４３を４３ａ（手押しポンプ運転モード／呼び水満水運転モード）から４３ｂ（非常電源駆動ポンプ運転モード）に切替える。これに伴い、前記した自動弁ＳＶが遮断され自動弁ＤＶがｃ−ａ側（非常電源駆動ポンプから仮設トイレ側）に切り替わり、タイマＴが計時を開始する。即ち、前記手押しポンプから仮設トイレ側への流れが遮断され、前記ポンプから仮設トイレ側への流れが確立する。前記タイマＴが計時を終了すると、前記モータ２２へ非常電源が印加されて該ポンプは運転を行う。前記タイマＴの設定時間は、切替えスイッチ４３を４３ａ（呼び水満水運転モード）から４３ｂ（非常電源駆動ポンプ運転モード）に切り替えるのに十分な時間であればよい。さらにこの切り替えを人為的な判断に委ねることができれば前記タイマを省略しても良い。
このようにして運転している状態で、前記ポンプ駆動モータ又は発電機のいずれかが故障すると、前記３０ｂ又は３１ｂのいずれかの接点が開放されポンプが停止し揚水不能となる。合わせて、前記３０ａ又は３１ａのいずれかの接点が閉じて警報発報手段ＢＺが作動し警報を発する。前記警報が発せられると、前記切替えスイッチ４３を４３ｂ（非常電源駆動ポンプ運転モード）から４３ａ（手押しポンプ運転モード／呼び水満水運転モード）に切替え、前記手押しポンプを運転しバックアップするのである。
尚、吸込み分岐管の弁を三方弁４とした場合については、前述で明らかなので説明を省略する。
【第４の実施形態の効果】
【００２２】  このようにすると、誤操作による手押しポンプバックアップ不能及び前述した吸込み運転に伴う人為的な不具合を解消することができる。
【００２３】  次に、第５の実施形態について説明する。これは、本仮設トイレ用給水システムが水源から離れて設置される場合について、更に改善したものである。吸込み管の横引き長さが長くなり、吸込み管の曲りが増加すると前述した手押しポンプ運転によるポンプ、吸込み管、吸込み分岐管の呼び水、空気除去、満水がより一層困難となる。そこで、前述した切替えスイッチ４３を４３ａ（手押しポンプ運転モード／呼び水満水運転モード）に切り替えて運転し、続いて４３ｂ（非常電源駆動ポンプ運転モード）に切り替えて運転するサイクルを１サイクルとし、これを数回繰り返し、ポンプのリトライ運転による揚水の可否を判定する。揚水が可能であれば正常状態であるからこのモードでの運転を続け、揚水不能であれば前記切替えスイッチ４３を４３ａに切り替えて手押しポンプによる運転でバックアップする。
図１において、ポンプの吸込み側に真空計、ポンプ吐出し側に圧力計を取り付ければポンプの異常を容易に検出することができる。図３において自動弁ＳＶとタイマＴとに併設してカウンタを取り付け、これらの出力を直列にして警報発報手段ＢＺに接続すれば、前記リトライ（繰り返し）回数を設定することができる。そして、警報発報手段ＢＺが警報発信したらポンプの運転から手押しポンプによるバックアップ運転へ切り替えるようにすれば、第４の実施態様と同様に誤操作によるバックアップ不能を回避することができる。
【第５の実施形態の効果】
【００２４】  このようにすれば、ポンプの異常時にも手押しポンプでバックアップして仮設トイレへ確実に給水することができる。
【００２５】  図４により、第６の実施形態について説明する。第１〜４の実施形態に基づく各弁類の開閉操作、手押しポンプ及び非常電源ポンプの運転操作を手順化し、注意銘板又は看板に記載し掲示してガイダンス機能を付加したものである。図４において、例えば４０は看板、４０ａは注意銘板や注意書きである。
【第６の実施形態の効果】
【００２６】  このようにすると、操作のしかたが一般に周知徹底され、誤操作による前述した吸込み運転に伴う人為的な不具合を解消することができる。第３の実施形態においては、呼び水満水機能を更に向上させることができる。
【符号の説朋】
【００２７】  １…水源、２…吸込み管、３…吸込み分岐管、４…仕切弁、５…非常電源駆動ポンプ、６…手押しポンプ、７…吐出合流管、８…三方弁、９…送水管、１０…呼び水手段、１１…仕切弁、１２…呼び水じょうごまたはタンク、１３…横引き配管、１４…貯留槽、１５…仕切弁、１６…送水管、１７…下水管、１８…仮設トイレ群、１９…フート弁、２０…非常電源装置、２１…Ｔ字管、２２…非常電源駆動ポンプ用モータ、２３…仕切弁、２４…配管
【図１】
2015025349.tif 000003
【図２】
2015025349.tif 000004
【図３】
2015025349.tif 000005
【図４】
2015025349.tif 000006